(57)【要約】【課題】余分なシール箇所を省略し、被装着物表面にシワが生じにくく、被装着物の外観を良好にできるジッパーテープを提供すること。【解決手段】本発明のジッパーテープは、一対の対向面を有する被装着物、または、一対の被装着物における対向面の一方、に対してシールされる。雄側咬合部３１Ｂおよび雄側帯状基部３１Ａを有する雄部材３１と、雄側咬合部３１Ｂに咬合可能な雌側咬合部３２Ｂおよび雌側帯状基部３２Ａを有する雌部材３２とを備え、例えば雌側帯状基部３２Ａが雄側帯状基部３１Ａより前記被装着物の開口部２４側に向かって幅広とされた幅広部３２１を有し、幅広部３２１には、前記被装着物にシールされるシール部Ｓがあり、雄側帯状基部３１Ａの雄側咬合部３１Ｂと反対側の表面には、雄側咬合部３１Ｂより前記被装着物の開口部２４側に、雄側帯状基部３１Ａから剥離でき、かつ、前記被装着物にシールされる引裂テープ部３３が積層される。【選択図】図４
2014113263.tif 000002
【特許請求の範囲】
【請求項１】
一対の対向面を有する被装着物、または、一対の被装着物における対向面の一方、に対してシールされるジッパーテープであって、
雄側咬合部およびこれに連接する雄側帯状基部を有する雄部材と、前記雄側咬合部に咬合可能な雌側咬合部およびこれに連接する雌側帯状基部を有する雌部材とを備え、
前記雄側帯状基部および前記雌側帯状基部のうち一方の帯状基部が他方の帯状基部より前記被装着物の開口部側に向かって幅広とされた幅広部を有し、
前記幅広部には、前記被装着物にシールされるシール部があり、
前記他方の帯状基部の前記咬合部と反対側の表面には、前記咬合部より前記被装着物の開口部側に、前記他方の帯状基部から剥離でき、かつ、前記被装着物にシールされる引裂テープ部が積層される
ことを特徴とするジッパーテープ。
【請求項２】
請求項１に記載のジッパーテープにおいて、
前記他方の帯状基部には、前記咬合部より前記被装着物の開口部の反対側に前記シール部がある
ことを特徴とするジッパーテープ。
【請求項３】
ジッパーテープの被装着物を製造するためのジッパーテープ付包材であって、
フィルムと、前記フィルムの一方の表面にシールされた請求項１または請求項２に記載のジッパーテープと、を備え、
前記フィルムには、複数の前記ジッパーテープが設けられ、
前記ジッパーテープは、前記フィルムから形成される前記ジッパーテープの被装着物ごとに、それぞれ設けられる
ことを特徴とするジッパーテープ付包材。
【請求項４】
フィルムからなる被装着物と、
前記被装着物の一方の表面にシールされた請求項１または請求項２に記載のジッパーテープと、を備える
ことを特徴とするジッパーテープ付被装着物。
【請求項５】
請求項４に記載のジッパーテープ付被装着物において、
前記被装着物は、袋体であり、
前記袋体は、１枚のフィルムからなり、
前記袋体が背貼り構造となるように、前記フィルムの周縁がシールされてなる
ことを特徴とするジッパーテープ付被装着物。
【請求項６】
請求項４に記載のジッパーテープ付被装着物において、
前記被装着物は、袋体であり、
前記袋体は、２枚のフィルムからなり、
前記２枚のフィルムの上端、下端、右側面および左側面がシールされてなる
ことを特徴とするジッパーテープ付被装着物。
【請求項７】
請求項４から請求項６までのいずれか一項に記載のジッパーテープ付被装着物において、
前記被装着物および前記ジッパーテープのうちの少なくともいずれかには、前記ジッパーテープを開封するための持ち手部が設けられている
ことを特徴とするジッパーテープ付被装着物。
【発明の詳細な説明】
【技術分野】
【０００１】
本発明は、いわゆる片面リクローザブル型（包材の片面のみにジッパーテープが設けられ、これにより包装袋の内面の一方に再開封可能な開封口が形成される型のことをいう）のジッパーテープ、ジッパーテープ付包材およびジッパーテープ付被装着物に関する。
【背景技術】
【０００２】
食料品、医薬品、電子部品、事務用品などの各種物品を密封包装するための包装袋として、ジッパーテープを備えた袋（ジッパーテープ付包装袋）が広く使用されている。このようなジッパーテープ付包装袋としては、包装袋の内面の両方に雌雄のジッパーテープがそれぞれ設けられるものの他に、いわゆる片面リクローザブル型のジッパーテープ付包装袋が提案されている。
例えば、一対の包材における対向面の一方に対してジッパーテープがシールされ、雄雌ジッパーテープの２つのシール部の間に切取部が設けられたジッパーテープ付包装袋が提案されている（特許文献１）。また、一対の対向面を有する包材の一方の表面に対してジッパーテープがシールされ、ジッパーテープの帯状基部同士がシールされたジッパーテープ付包装袋が提案されている（特許文献２）。
【先行技術文献】
【特許文献】
【０００３】
【特許文献１】特開平３−５６２４８号公報
【特許文献２】米国特許第６４８１８９１号明細書
【発明の概要】
【発明が解決しようとする課題】
【０００４】
しかしながら、特許文献１に記載のジッパーテープ付包装袋では、包材に予め切取部が設けられており、この切取部を設けることが必要となる。また、この切取部を設けるために、余分なシールが必要となる。また、特許文献２に記載のジッパーテープ付包装袋では、包材に設けられたミシン目から開封する構成となっており、密閉圧力などの観点から、ジッパーテープの帯状基部同士がシールされている。その結果、ジッパーテープの帯状基部同士がシールされる際に、包材表面にシワが生じやすく、包装袋の外観不良が生じるおそれがある。
【０００５】
そこで、本発明の目的は、余分なシール箇所を省略し、被装着物表面にシワが生じにくく、被装着物の外観を良好にできるジッパーテープ、ジッパーテープ付包材およびジッパーテープ付被装着物を提供することにある。
【課題を解決するための手段】
【０００６】
前記した課題を解決すべく、本発明は、以下のようなジッパーテープ、ジッパーテープ付包材およびジッパーテープ付被装着物を提供するものである。
本発明のジッパーテープは、一対の対向面を有する被装着物、または、一対の被装着物における対向面の一方、に対してシールされるジッパーテープであって、雄側咬合部およびこれに連接する雄側帯状基部を有する雄部材と、前記雄側咬合部に咬合可能な雌側咬合部およびこれに連接する雌側帯状基部を有する雌部材とを備え、前記雄側帯状基部および前記雌側帯状基部のうち一方の帯状基部が他方の帯状基部より前記被装着物の開口部側に向かって幅広とされた幅広部を有し、前記幅広部には、前記被装着物にシールされるシール部があり、前記他方の帯状基部の前記咬合部と反対側の表面には、前記咬合部より前記被装着物の開口部側に、前記他方の帯状基部から剥離でき、かつ、前記被装着物にシールされる引裂テープ部が積層されることを特徴とするものである。
【０００７】
この発明によれば、被装着物にジッパーテープをシールすることで、被装着物に引裂テープ部を設けることができる。そのため、別途に引裂テープなどを設けるといった従来のジッパーテープ付包装袋と比較して、余分なシール箇所を省略でき、シンプルな形状とできる。そして、余分なシール箇所を省略したことで、被装着物表面にシワが生じにくく、被装着物の外観を良好にできる。また、この発明によれば、引裂テープ部が咬合部より被装着物の開口部側に設けられていることで、開封時に咬合部が邪魔にならないため、開封感の安定性が期待できる。
【０００８】
本発明のジッパーテープにおいては、前記他方の帯状基部には、前記咬合部より前記被装着物の開口部の反対側に前記シール部があることが好ましい。
この発明によれば、ジッパーテープ付被装着物を開封し、その後再封した場合に、次のような作用が期待できる。すなわち、他方の帯状基部には、咬合部より被装着物の開口部の反対側にシール部が設けられていることで、得られるジッパーテープ付被装着物における上端を持った場合に、咬合部の上端に力がかかるようになる。そのため、このジッパーテープ付被装着物が不用意に開封しないことや、重量物を入れても開かないことが期待できる。
【０００９】
本発明のジッパーテープ付包材は、フィルムと、前記フィルムの一方の表面にシールされた前記本発明のジッパーテープと、を備え、前記フィルムには、複数の前記ジッパーテープが設けられ、前記ジッパーテープは、前記フィルムから形成される前記ジッパーテープの被装着物ごとに、それぞれ設けられることを特徴とするものである。
この発明のジッパーテープ付包材を用いれば、前記本発明のジッパーテープを備えるジッパーテープ付包装袋を効率よく製造することができる。なお、この発明のジッパーテープ付包材においても、前記ジッパーテープについて記載した内容を適用してもよい。
【００１０】
本発明のジッパーテープ付被装着物は、フィルムからなる被装着物と、前記被装着物の一方の表面にシールされた前記本発明のジッパーテープと、を備えることを特徴とするものである。
本発明の被装着物は、表面にシワが生じにくく、外観を良好となることが期待できる。また、この発明によれば、引裂テープ部が咬合部より被装着物の開口部側に設けられていることで、開封時に咬合部が邪魔にならないため、開封感の安定性が期待できる。また、咬合部より被装着物の開口部側に、前記他方の帯状基部から剥離でき、かつ、前記被装着物にシールされる引裂テープ部が積層されることで、引裂テープ部を引き裂くことで被装着物を開封できる。被装着物の開封後、嵌合部を介して再封した後、ジッパーテープ付被装着物における上端を持った場合に、咬合部の上端に力がかかるようになる。そのため、このジッパーテープ付被装着物が不用意に開封しないことや、重量物を入れても開きにくいことが期待できる。
【００１１】
本発明のジッパーテープ付被装着物は、特に限定されるものではないが、袋体とすることで、本発明のジッパーテープの効果を期待できる。
当該袋体は１枚のフィルムから形成されていてもよく、２枚のフィルムから形成されていてもよい。
１枚のフィルムから形成される場合、例えば、袋体を当該１枚のフィルムの略中央部で折り曲げて端同士を貼り合せる合掌貼りの構造とすることが考えられる。合掌貼りの形態としては、特に限定されるものでもないが、例えば、背貼り構造とする形態が考えられる。
２枚のフィルムから形成される場合、例えば、当該２枚のフィルムの上端、下端、右側面および左側面がシールする構造とすることが考えられる。
本発明のジッパーテープ付被装着物を背貼り構造とする場合、１枚のフィルムを円筒状にして、フィルムの両端同士が合掌貼りとなるように重ねながらシール（背貼りシール）して筒状体とする。その後、筒状体の上端および下端をシールすれば、フィルムの周縁は全てシールされることになり、袋体となる。そのため、この場合におけるフィルムの周縁とは、背貼りシールで重ねられる部分、並びに、筒状体の上端および下端である。被装着物が上記のような袋体である場合には、例えば、上記のような様々なシール方法で得られる袋体に、前記本発明のジッパーテープを適用することができる。
【００１２】
本発明のジッパーテープ付被装着物を当該２枚のフィルムの上端、下端、右側面および左側面がシールする構造とする場合には、例えば、２枚のフィルムの四方（上端、下端、右側面および左側面）をシールするような、様々なシール方法で得られる袋体に、前記本発明のジッパーテープを適用することができる。
【００１３】
ジッパーテープ付被装着物には、引裂テープ部により開封する際に把持可能な部分である切込部が設けられる。この切込部は、引裂テープ部の端部の少なくとも一方に設けられればよく、その形態は特に限定されない。例えば、この切込部は、タブ状に切り抜かれた形態であってもよく、被装着物の側面まで一組の切込みが入れられた形態であってもよい。前記タブの形状は把持可能であれば、特に限定されるものではなく、例えば、引裂テープ部よりも幅広の構造とすることが考えられる。
切込部は、部分的にシールされている部分（部分シール部）に設けられることが好ましい。この部分シール部とは、被装着物の側面の少なくとも一部分に設けられていればよく、前記切込部の少なくとも３方を囲む様に設けられていることが好ましい。部分シール部の形状は特に限定されず、例えば、四角形状などの多角形状や円弧形状などであってもよい。この切込部がタブ状に切り抜かれた形態である場合、引裂テープ部による開封において、被装着物のジッパーテープがシールされていない面の一部を切断することになる。そこで、このような場合、被装着物のジッパーテープがシールされていない面には、引裂テープ部と切込部とが連続する部分に、引裂テープ部と接する部分を横断するように（より好ましくは引裂テープ部の長手方向と直交する方向に）、ノッチが設けられていることが好ましい。このノッチが設けられていることにより、引裂テープ部により被装着物を開封する際に、ジッパーテープがシールされていない面の一部を選択的に切断できる。
【００１４】
本発明のジッパーテープ付被装着物においては、前記被装着物および前記ジッパーテープのうちの少なくともいずれかには、前記ジッパーテープを開封するための持ち手部が設けられていることが好ましい。
本発明のジッパーテープ付被装着物における、ジッパーテープを開封するための持ち手部とは、開封時にジッパーテープ付被装着物と手との間の摩擦を向上させる機能を持ったものであれば特に限定されず、例えば、被装着物および前記ジッパーテープのうちの少なくともいずれかに、隆起された突起が設けられていれば、好適にジッパーテープを開封することが期待できる。当該突起の形状は、特に限定されるものではないが、円形状や多角形状がジッパーテープの長手方向と同方向に一体となって、一箇所以上設けられていてもよく、円錐状、多角錐、円柱または多角柱の突起が複数設けられていてもよい。
被装着物が袋体である場合には、引裂テープ部によって袋体を切断した後において、ジッパーテープの咬合部の咬合を外す際に、この持ち手部を利用できる。
【図面の簡単な説明】
【００１５】
【図１】実施形態におけるジッパーテープ付被装着物の密封状態を示す正面図である。
【図２】図１のII−II断面図である。
【図３】実施形態のジッパーテープを被装着物に融着する前の状態を示す断面図である。
【図４】図１のIV−IV断面図であって、ジッパーテープを被装着物に融着して密封した状態を示す断面図である。
【図５】実施形態におけるジッパーテープ付包材を示す斜視図である。
【図６】実施形態で用いた製袋装置の一部を示す斜視図である。
【図７】他の実施形態におけるジッパーテープ付被装着物の密封状態を示す正面図である。
【発明を実施するための形態】
【００１６】
以下、本発明の実施形態を図面に基づいて説明する。
（ジッパーテープ付包装袋の構成）
本発明の実施形態におけるジッパーテープ付被装着物（ジッパーテープ付包装袋１）は、図１に示すように、袋体２と、ジッパーテープ３と、を備えている。袋体２は、図２に示すように、背貼り構造のものであり、図１に示すように、第一正面部２１、第二正面部２２、底部２３および開口部２４を有している。なお、本実施形態では、ジッパーテープ付被装着物として、ジッパーテープ付包装袋１を例に挙げて説明するが、被装着物は包装袋に限定されるわけではない。
【００１７】
（ジッパーテープの構成）
ジッパーテープ３は、図３に示すように、一対の雄部材３１および雌部材３２を備えている。そして、雄部材３１および雌部材３２は、これらの一部である雄側咬合部３１Ｂおよび雌側咬合部３２Ｂにおいて咬合している。
雄部材３１は、袋体２の第二正面部２２に対してシールされる雄側帯状基部３１Ａと、断面が略鏃（やじり）形状の雄側咬合部３１Ｂと、これら雄側帯状基部３１Ａおよび雄側咬合部３１Ｂを連結する連結部３１Ｃと、を備えている。雌部材３２は、雄部材３１と同様に、袋体２の第二正面部２２に対してシールされる雌側帯状基部３２Ａと、この雌側帯状基部３２Ａと連結して形成され、雄部材３１の雄側咬合部３１Ｂと係脱可能な、断面が凹状の雌側咬合部３２Ｂと、を備えている。
ジッパーテープ３は、雄部材３１の雄側咬合部３１Ｂと雌部材３２の雌側咬合部３２Ｂとが離れたり咬合したりすることにより、開封または再封が行われることとなる。
【００１８】
このジッパーテープ３においては、図３に示すように、雌側帯状基部３２Ａが雄側帯状基部３１Ａより袋体２の開口部２４側に向かって幅広とされた幅広部３２１を有している。
また、雄側帯状基部３１Ａにおける雄側咬合部３１Ｂと反対側の表面には、ジッパーテープ３の長手方向と平行に、引裂テープ部３３が積層されている。この引裂テープ部３３は、雄側咬合部３１Ｂより袋体２の開口部２４側に、積層されている。
この引裂テープ部３３は、雄側帯状基部３１Ａから剥離できる易剥離部３３１と、袋体２の第二正面部２２にシールされる融着部３３２と、を備えている。引裂テープ部３３は、雄側帯状基部３１Ａから剥離でき、かつ、袋体２の第二正面部２２にシールされるものである。
また、雄側帯状基部３１Ａにおける雄側咬合部３１Ｂ側の表面には、雄側咬合部３１Ｂより袋体２の開口部２４側に、持ち手部３４が設けられている。さらに、幅広部３２１における雌側咬合部３２Ｂ側の表面には、持ち手部３４が設けられている。
この持ち手部３４の形状は、三角形状であるがこれに限定されず、円形状や多角形状であってもよい。また、この持ち手部３４は、ジッパーテープ３の長手方向のわたり設けられているがこれに限定されず、長手方向における一箇所に設けられていてもよく、所定の間隔を空けつつ複数箇所に設けられていてもよい。
【００１９】
ジッパーテープ３は、図４に示すように、引裂テープ部３３が袋体２の第二正面部２２と対向するようにして、袋体２の内面のうち第二正面部２２の開口部２４側の表面にシールされている。シール部Ｓは、図１および図４に示すように、ジッパーテープ３の長手方向と平行となるように、雄側帯状基部３１Ａ、引裂テープ部３３および幅広部３２１に、合計３箇所設けられている。ここで、雄側帯状基部３１Ａにおけるシール部Ｓは、雄側咬合部３１Ｂより袋体２の開口部２４の反対側に設けられる。
【００２０】
（袋体の構成）
袋体２は、図２に示すように、第一正面部２１、および、この第一正面部２１と対向する第二正面部２２を備えている。また、袋体２は、図１に示すように、底部２３および開口部２４を有している。さらに、袋体２は、図１および図２に示すように、フィルムを背シール部２５で接合されてなり、背シール部２５は、合掌貼りで形成されている。また、袋体２の内面のうち第二正面部２２の開口部２４側の表面には、ジッパーテープ３がシールされている。
また、袋体２の右側面で、かつジッパーテープ３がシールされている部分の近傍には、図１に示すように、部分シール部ＰＳが設けられている。そして、この部分シール部ＰＳには、ジッパーテープ３の引裂テープ部３３の端部と連続するように、タブ状に切り抜かれた切込部２６が形成されている。さらに、第一正面部２１における引裂テープ部３３と切込部２６とが連続する部分の任意の箇所には、引裂テープ部３３の長手方向と直交する方向に、ノッチＮが設けられている。
【００２１】
（ジッパーテープおよび袋体を構成する材料）
ジッパーテープ３の雄部材３１および雌部材３２としては、一般的に使用されているポリオレフィン系樹脂などの熱可塑性樹脂を用いて形成したものを用いることができる。このようなポリオレフィン系樹脂としては、ポリエチレン系樹脂、およびポリプロピレン系樹脂などが挙げられる。ポリエチレン系樹脂としては、低密度ポリエチレン（ＬＤＰＥ）、および直鎖状低密度ポリエチレン（ＬＬＤＰＥ）などが挙げられる。ポリプロピレン系樹脂としては、ホモポリプロピレン（ＨＰＰ）、ランダムポリプロピレン（ＲＰＰ）、およびブロックポリプロピレン（ＢＰＰ）などが挙げられる。他のポリオレフィン系樹脂としては、プロピレン−エチレン−ブテン１ランダム三元共重合体、およびポリオレフィン系特殊軟質樹脂（ＴＰＯ樹脂。例えばプライムポリマーＴＰＯ）などが挙げられる。これらのポリオレフィン系樹脂は一種を単独で使用してもよく、また二種以上を組み合わせて使用してもよい。
また、引裂テープ部３３の易剥離部３３１は、例えば延伸したポリエチレンテレフタレート（ＯＰＥＴ）、延伸したポリプロピレン（ＯＰＰ）、および延伸した高密度ポリエチレン（ＨＤＰＥ）などの雄部材３１および雌部材３２とは異質かつ非相溶性の樹脂で形成される。さらに、引裂テープ部３３の融着部３３２は、引裂テープ部３３を袋体２に融着するために設けられ、メタロセンＬＬＤＰＥなどで形成することが望ましい。
【００２２】
袋体２を構成するフィルムとしては、熱可塑性樹脂にて形成されたフィルムを使用できる。熱可塑性樹脂としては、低密度ポリエチレン（ＬＤＰＥ）、直鎖状低密度ポリエチレン（ＬＬＤＰＥ）、ホモポリプロピレン（ＨＰＰ）、ランダムポリプロピレン（ＲＰＰ）、およびブロックポリプロピレン（ＢＰＰ）などが挙げられる。このようなフィルムは、単層フィルムでもよいが共押出による多層フィルムでもよい。
また、これらの熱可塑性樹脂により形成された単層フィルムまたは共押出多層フィルムに対して、アルミニウムを蒸着したり、アルミニウム箔を積層したりしてもよい。このようにすることにより、フィルムに対してガスバリアー性、遮光性などの諸特性を付与することができる。
【００２３】
（ジッパーテープ付包装袋の作製方法）
ジッパーテープ付包装袋１は、例えば、図５に示すようなジッパーテープ付包材を用いて、以下説明するようにして作製することができる。
ジッパーテープ付包材としては、図５に示すように、袋体２を構成するフィルム２０と、このフィルム２０の一方の表面にシールされた複数のジッパーテープ３と、を備えるものを用いる。ここで、複数のジッパーテープ３は、このフィルム２０から形成されるジッパーテープ付包装袋ごとに、それぞれ設けられるよう、所定間隔で設けられている。
そして、図６に示すような製袋装置を用いて、以下のようにしてジッパーテープ付包装袋１を作製できる。
すなわち、図６に示すように、複数のジッパーテープ３を備えるフィルム２０が、製袋装置４の円筒フォーマ４１に巻かれつつ、送りベルト４２によって下方に送られる。ここで、フィルム２０の両端同士が合掌貼りとなるように重ねられて送られる。そして、シールバー４３より背シール部２５が形成されて円筒状の袋体２となる。
次いで、図１０に示すように、袋体２の底部２３をシールバー４４によりシールし、その後、円筒フォーマ６１の内部空間を通して内容物の充填を行った後、袋体２の開口部２４をシールバー４４によりシールし、適宜切断してジッパーテープ付包装袋１を得ることができる。なお、ジッパーテープ付包装袋１には、図１に示すように、ジッパーテープ３の右側面に部分シール部ＰＳが設けられ、この部分シール部ＰＳには、タブ状に切り抜かれた切込部２６が形成される。さらに、第一正面部２１における引裂テープ部３３と切込部２６とが連続する部分の任意の箇所には、引裂テープ部３３の長手方向と直交する方向に、ノッチＮが設けられる。
【００２４】
（ジッパーテープ付包装袋の開封方法および再封方法）
次に、図１および図４を用いて本実施形態のジッパーテープ付包装袋１の開封方法を説明する。
図１に示すように、ジッパーテープ３の引裂テープ部３３の端部には、引裂テープ部３３と連続するように切込部２６が形成されている。
開封するときは、これらの切込部２６によって把持可能となった引裂テープ部３３の端部と、引裂テープ部３３と重なっている袋体２の一部を把持する。そして、そのまま引裂テープ部３３が袋体２から離れる方向に引くことで、先ずはノッチＮから袋体２の第一正面部２１の一部が切断され、次いで袋体２の第二正面部２２の一部が切断され、開封することができる。なお、開封時には、ジッパーテープ３の雄側帯状基部３１Ａと引裂テープ部３３との間で剥離する。
引裂テープ部３３によって切断した後は、ジッパーテープ３の雄側咬合部３１Ｂと雌側咬合部３２Ｂとの咬合を外すことによって、ジッパーテープ付包装袋１を開封することができる。一方、ジッパーテープ付包装袋１を再封する場合には、雄側咬合部３１Ｂと雌側咬合部３２Ｂとを咬合させて、咬合状態とすればよい。
【００２５】
（実施形態の効果）
前記したような実施形態によれば、次のような効果を奏することができる。
（１）袋体２にジッパーテープ３をシールすることで、袋体２に引裂テープ部３３を設けることができる。そのため、別途に引裂テープなどを設けるといった従来のジッパーテープ付包装袋と比較して、余分なシール箇所を省略でき、シンプルな形状とできる。また、余分なシール箇所を省略したことで、包材表面にシワが生じにくく、ジッパーテープ付包装袋１の外観を良好にできる。
（２）引裂テープ部３３が雄側咬合部３１Ｂより袋体２の開口部２４側に設けられていることで、開封時に雄側咬合部３１Ｂおよび雌側咬合部３２Ｂが邪魔にならないため、開封感の安定性が期待できる。
（３）ジッパーテープ付包装袋１を開封し、その後再封した場合に、次のような作用が期待できる。すなわち、雄側帯状基部３１Ａには、雄側咬合部３１Ｂより袋体２の開口部２４の反対側にシール部Ｓが設けられていることで、得られるジッパーテープ付包装袋１における上端を持った場合に、雄側咬合部３１Ｂの上端に力がかかるようになる。そのため、このジッパーテープ付包装袋１が不用意に開封しないことや、重量物を入れても開かないことが期待できる。
（４）引裂テープ部３３によって袋体２を切断した後において、ジッパーテープ３の雄側咬合部３１Ｂおよび雌側咬合部３２Ｂの咬合を外す際に、この持ち手部を利用できる。
（５）ジッパーテープ３が袋体２の内面のうち一方のみ（第二正面部２２）に設けられている。このような構成であれば、ジッパーテープが袋体の両内面に設けられている場合と異なり、ジッパーテープの咬合部が袋体の内面に露出しないので、内容物を収納する際に邪魔となりにくい。そのため、袋体２に図示しない内容物を収納する場合、袋体２の底部２３からだけでなく、開口部２４からも内容物を収納できる。
【００２６】
［実施形態の変形］
なお、以上説明した態様は、本発明の一態様を示したものであって、本発明は、前記した実施形態に限定されるものではなく、本発明の構成を備え、目的および効果を達成できる範囲内での変形や改良が、本発明の内容に含まれるものであることはいうまでもない。
【００２７】
例えば、本実施形態のジッパーテープ付包装袋１を製造する方法は、特に前記方法に限定されず、適宜公知の方法によって製造してもよい。例えば、袋体２は、図７に示すように、２枚のフィルムからなり、前記２枚のフィルムの上端（開口部２４）、下端（底部２３）、右側面２７および左側面２８がシールされてなる、いわゆる四方製袋式で製造してもよい。このように、本実施形態のジッパーテープ３は、様々なシール方法で得られる袋体２に適用することができる。また、図７に示すように、切込部２６がタブ状に切り抜かれた形態である場合、引裂テープ部３３による開封において、袋体２のジッパーテープ３がシールされていない面（第一正面部２１）の一部を切断することになる。そこで、このような場合、第一正面部２１における引裂テープ部３３と切込部２６とが連続する部分の任意の箇所には、図７に示すように、引裂テープ部３３の長手方向と直交する方向に、ノッチＮが設けられていることが好ましい。このノッチＮが設けられていることにより、引裂テープ部３３により袋体２を開封する際に、第一正面部２１の一部を選択的に切断でき、このノッチＮからの引裂テープ部３３による開封ができる。
【産業上の利用可能性】
【００２８】
本発明は、例えば、食品、薬品、医療品、化粧品、および雑貨などの各種物品を包装するための包装袋として、ガゼット袋、ピロー袋などの形状を問わず広く利用することができる。
【符号の説明】
【００２９】
１…ジッパーテープ付包装袋
２…袋体
２１…第一正面部
２２…第二正面部
２３…底部
２４…開口部
２５…背シール部
２６…切込部
３…ジッパーテープ
３１…雄部材
３１Ａ…雄側帯状基部
３１Ｂ…雄側咬合部
３２…雌部材
３２Ａ…雌側帯状基部
３２Ｂ…雌側咬合部
３２１…幅広部
３３…引裂テープ部
Ｓ…シール部
【図１】
2014113263.tif 000003
【図２】
2014113263.tif 000004
【図３】
2014113263.tif 000005
【図４】
2014113263.tif 000006
【図５】
2014113263.tif 000007
【図６】
2014113263.tif 000008
【図７】
2014113263.tif 000009